(57)【要約】【課題】径年変化によっても加工材がチェーンの上面をすべらず、レールとの摺動面にもガタつきが生じることがなく加工精度が維持でき且つ加工板材の品質が落ちることのない搬送チェーンを提供する。【解決手段】搬送チェーン１を構成する多数のリンク３の上面に、小さな凹凸ができるように、溶射により超硬合金やセラミックス等の硬質物質で目の粗い硬化層４を形成する。また、リンク３の裏面の溝３ｃ，３ｃ，３ｄにも同様の硬質物質で硬化層を形成する。サイザ等の搬送機構の搬送チェーンとして用いた場合、板材がすべらず、また、レール上を摺動させつつ板材を搬送する搬送チェーンの裏面の溝が摩耗せず精度を長く維持できる。【選択図】              図４
2004168446.tif 000002
【特許請求の範囲】
【請求項１】
多数のリンクをピンにより回動自在に枢着してつなぎ合わせて鎖状とされてスプロケットに巻装される搬送チェーンにおいて、
前記リンクの上面は、小さな凹凸ができるように、硬質物質で硬化層が形成されてなることを特徴とする搬送チェーン。
【請求項２】
多数のリンクをピンにより回動自在に枢着してつなぎ合わせて鎖状とされ且つ裏面には、レール上を摺動させるための溝が形成されてスプロケットに巻装される搬送チェーンにおいて、
前記リンクの下面（裏面）側の溝の表面には、硬質物質で硬化層が形成されてなることを特徴とする搬送チェーン。
【請求項３】
前記搬送チェーンは、サイザ用に用いられるものであることを特徴とする請求項１または／および請求項２に記載の搬送チェーン。
【発明の詳細な説明】
【０００１】
【発明の属する技術分野】
この発明は、例えば板材を所定の寸法に切断加工するためサイザに載せて搬送し、両端または片端を回転刃物で切断加工する際、搬送機構の一部を構成し搬送用として使用される搬送チェーンに関する。
【０００２】
【従来の技術】
建築材として使用される板材は、図５に示すように、搬送機構として両側がスプロケット１４に巻装されてエンドレスに駆動される搬送チェーン１０，１０に載せ、上から回動自在な多数のローラ１１，１１，・・で押さえつけ、移動させながら図示しない回転刃物（丸鋸等）で両端或いは片端を切断する。このような搬送チェーン１０は、多数のリンク１３，１３，・・・により構成されるが、通常、搬送・加工される板材の加工精度を維持するため、図６（Ａ）、（Ｂ）に示すように、下側面にＶ字状の溝１３ｃ，１３ｃ、１３ｄを設け、レール１２，１２の上に載せて真っ直ぐ移動するようになっている。
【０００３】
【発明が解決しようとする課題】
搬送チェーン１０は、上記するように上面に板材を載せ、該板材の上からローラ１１，１１，・・や或いは図示しいな搬送ベルト等で押さえながら移動させるため、必然的に搬送チェーン１０の上面は、板材の下面とこすり合わされることになる。従って、搬送チェーン１０の上面は摩耗されやすく、経時変化により上面が極めて滑らかになることもある。特に、近年、加工される板材は、薄い印刷された板目や柾目状の模様の薄膜を接着した板材もあり、当初から滑らかな状態になっていることも多い。このように搬送チェーン１０の上面或いは板材の表面が滑らかになっていると、切断加工中に板材が搬送チェーン１０上ですべり、切断加工の精度が悪くなる、という問題がある。更に、搬送チェーン１０の裏面（下面）の溝は、レール１２，１２との間の摺動作用で径年変化により摩耗し、ガタ付きが生じて直線走行上にも真直性が維持できなくなるという問題がある。このように搬送チェーン１０の上面がすべりやすかったり、レール１２との間にガタつきが生じると、板材の加工精度が悪くなり、商品の品質が悪くなる、という問題がある。
【０００４】
この発明は、上記する課題に対処するためになされたものであり、径年変化によっても搬送チェーンの上面がすべらず、また、溝とレールとの摺動面にもガタつきが生じることがなく加工精度が維持でき且つ加工板材の品質が落ちることのない搬送チェーンを提供することを目的としている。
【０００５】
【課題を解決するための手段】
即ち、この発明は、上記する課題を解決するために、請求項１に記載の発明は多数のリンクをピンにより回動自在に枢着してつなぎ合わせて鎖状とされてスプロケットに巻装される搬送チェーンにおいて、
前記リンクの上面は、小さな凹凸ができるように、硬質物質で目の粗い硬化層が形成されてなることを特徴とするものである。
【０００６】
また、請求項２に記載の発明は、多数のリンクをピンにより回動自在に枢着してつなぎ合わせて鎖状とされ且つ裏面には、レール上を摺動させるための溝が形成されてスプロケットに巻装される搬送チェーンにおいて、
前記リンクの下面（裏面）側の溝の表面には、硬質物質で硬化層が形成されてなることを特徴とするものである。
【０００７】
また、請求項３に記載の発明は、請求項１または／および請求項２に記載の搬送チェーンは、サイザ用に用いられるものであることを特徴とするものである。
【０００８】
【発明の実施の形態】
以下、この発明の具体的な実施の形態について図面を参照して説明する。
図１は、この発明の搬送チェーンを構成するリンクの斜視図であり、図２は、このリンクを裏側から見た斜視図である。また、図３（Ａ）は、この搬送チェーンを構成するリンクの側面図であり、図３（Ｂ）は、図３（Ａ）のＰ部拡大断面図である。図４（Ａ）は、リンクの一方向から見た正面図であり、図４（Ｂ）は、図４（Ａ）のＱ部拡大断面図である。
【０００９】
この発明の搬送チェーン１は、多数のリンク３，３，・・をつなぎ合わせて鎖状に且つ環状とし、例えば、サイザの板材搬送機構として所定間隔幅で配置されたスプロケット１４（図５参照）に巻装される。前記リンク３は、本体の一方の側は二股のヨーク３ａ，３ａが形成され、本体の他方の側は中央部に突起部３ｂが形成されている。そして他のリンク３，３と連結されるときには、前記二股のヨーク３ａ，３ａの間に、他のリンク３の突起部３ｂが僅かの隙間ができるように嵌められ、ピン５で回動自在に枢着され、これら多数のリンク３，３・・で搬送チェーン１が形成される。
【００１０】
また、前記リンク３の裏面には、前記ヨーク３ａ，３ａ又は／および突起部３ｂの中央部にかけてＶ字状の溝３ｃ，３ｃ，３ｄが形成されている。これらの溝３ｃ，３ｃ，３ｄは、チェーン１の進行中レール２，２の上を横振れせず、直線移動するようにするためのものである。従って、これらの溝３ｃ，３ｃ，３ｄは、Ｖ字状である必要はなく、嵌め合わされて摺動接触するレール２の断面形状に合致する形状であれば良い。
【００１１】
前記リンク３の上面には、図３（Ｂ）に示すように、表面に小さな凹凸（表面に目の粗い）ができるように、硬質物質である例えば超硬合金やセラミックスを溶射することにより目の粗い硬化層４又は硬化膜４が形成される。また、図４（Ｂ）に示すように、前記リンク３の下面（裏面）側の溝３ｃ，３ｃ，３ｄの各表面にも、硬質物質である例えば超硬合金やセラミックスを溶射することにより目の粗い硬化層（膜）４が形成される。尚、これらリンク３の下面（裏面）側の溝３ｃ，３ｃ，３ｄには、全ての溝に目の粗い硬化層４を形成しても良いが、一部の溝にのみ硬化層４を形成しても良い。
【００１２】
この発明の搬送チェーンのリンクを上記するように構成することにより、搬送チェーン１のリンク３の上面及び下面（裏面）の溝３ｃ，・・に、上記するような例えば超硬合金やセラミックスを溶射して硬化層４を形成することにより、加工される板材が滑らかな表面を有するものであっても、搬送時滑ったり動いたりすることがない。また、リンク３は、レール２との間で長期間摺動接触しても、溝３，・・が摩耗することがなくなり、また、搬送チェーン１（リンク３）とレールとの間にガタ付きが生じることもない。
【００１３】
上記するように、この発明の搬送チェーンは、具体的にはサイザの搬送機構用として説明したが、サイザに限るものではなく、他の板材搬送機構、例えばフィンガージョインタや丸鋸板材切断装置等の搬送機構用の搬送チェーンにも利用することができる。更に、搬送チェーン１のリンク３の上面にのみ超硬合金やセラミックスを溶射して表面に小さな凹凸のある目の粗い硬化層４を形成しても良く、或いは搬送チェーン１のリンク３の下面（裏面）の溝３ｃ，３ｃにのみ、或いは溝３ｄにのみ上記するような例えば超硬合金やセラミックスを溶射して硬化層４を形成しても良い。
【００１４】
【発明の効果】
以上、詳述したように、この発明の搬送チェーンによれば、板材等の搬送チェーンとして使用される際、搬送される板材が滑ったり動いたりすることがなく、精度のよい加工を施すことが出来る。また、搬送チェーン１（リンク３）とレールとの間にガタ付きが生じることもなくなり、精度の良い加工を行うことができる。
【図面の簡単な説明】
【図１】この発明の搬送チェーンを構成するリンクの上面斜視図である。
【図２】この発明の搬送チェーンを構成するリンクを裏側から見た斜視図である。
【図３】図３（Ａ）は、この搬送チェーンを構成するリンクの側面図であり、図３（Ｂ）は、図３（Ａ）のＰ部拡大断面図である。
【図４】図４（Ａ）は、リンクの一方向から見た正面図であり、図４（Ｂ）は、図４（Ａ）のＱ部拡大断面図である。
【図５】従来の搬送チェーンを備えたサイザの一部斜視図である。
【図６】図６（Ａ）は、従来の送チェーンを構成するリンクの側面図であり、図６（Ｂ）は、正面図である。
【符号の説明】
１    搬送チェーン
２    レール
３    リンク
３ａ  リンクのヨーク
３ｂ  リンクの突起部
３ｃ  リンク裏面の溝
３ｄ  リンク裏面の溝
４    硬化層
【図１】
2004168446.tif 000003
【図２】
2004168446.tif 000004
【図３】
2004168446.tif 000005
【図４】
2004168446.tif 000006
【図５】
2004168446.tif 000007
【図６】
2004168446.tif 000008